(57)【要約】【課題】カラー画像形成機能及びモノクロ画像形成機能を備える画像形成装置において、カラー画像形成機能に異常が発生したとき、モノクロ画像形成機能による代替処理を迅速かつ容易に実行できるようにする。【解決手段】カラー画像形成機能及びモノクロ画像形成機能を備える画像形成装置であって、カラー画像形成機能に異常が発生したとき、モノクロ画像形成機能への切り換えを自動的に行う。また、カラー画像形成機能に異常が発生したとき、カラー画像形成ジョブをモノクロ画像形成ジョブに自動的に変換する。【選択図】      図４
2004271715.tif 000002
【特許請求の範囲】
【請求項１】
カラー画像形成機能及びモノクロ画像形成機能を備える画像形成装置であって、
前記カラー画像形成機能に異常が発生したとき、前記モノクロ画像形成機能への切り換えを自動的に行う
ことを特徴とする画像形成装置。
【請求項２】
前記カラー画像形成機能における異常がコールドスタートの際のチェック段階で発生したときに、前記モノクロ画像形成機能への切り換えを自動的に行う
ことを特徴とする請求項１記載の画像形成装置。
【請求項３】
前記モノクロ画像形成機能への切り換えを自動的に行うとき、前記カラー画像形成機能の異常及び／又は前記モノクロ画像形成機能への切り換えを報知する
ことを特徴とする請求項１又は２記載の画像形成装置。
【請求項４】
前記カラー画像形成機能に異常が発生したとき、前記モノクロ画像形成機能への切り換えを自動的に行うモードと、前記モノクロ画像形成機能への自動的な切り換えを禁止するモードとを備える
ことを特徴とする請求項１〜３のいずれかに記載の画像形成装置。
【請求項５】
前記カラー画像形成機能に異常が発生したとき、カラー画像形成ジョブを自動的にモノクロ画像形成ジョブに変換する
ことを特徴とする請求項１〜４のいずれかに記載の画像形成装置。
【請求項６】
前記カラー画像形成ジョブを自動的に前記モノクロ画像形成ジョブに変換するとき、前記カラー画像形成機能の異常及び／又は前記モノクロ画像形成ジョブへの変換を報知する
ことを特徴とする請求項５記載の画像形成装置。
【請求項７】
前記カラー画像形成機能に異常が発生したとき、前記カラー画像形成ジョブを自動的に前記モノクロ画像形成ジョブに変換するモードと、前記モノクロ画像形成ジョブへの自動的な変換を禁止するモードとを備える
ことを特徴とする請求項５又は６記載の画像形成装置。
【発明の詳細な説明】
【０００１】
【発明の属する技術分野】
本発明は、カラー画像形成機能及びモノクロ画像形成機能を備えるプリンタ、コピー機、ファクシミリ、スキャナ、デジタル複合機などの画像形成装置に関するものであり、特に、カラー画像形成機能に異常が発生したとき、モノクロ画像形成機能による代替処理を迅速かつ容易に実行することができる画像形成装置に関する。
【０００２】
【従来の技術】
従来、カラー画像形成機能及びモノクロ画像形成機能を備える各種の画像形成装置が知られている。この種の画像形成装置のなかには、カラー画像形成機能とモノクロ画像形成機能との切り換えに際し、画像形成部の状態を大きく変更するものがある。
【０００３】
例えば、電子写真技術を用いるカラープリンタやカラーデジタル複合機は、形成色ごとに露光部及び現像部を備えており、各色の露光部及び現像部が形成したトナー画像を用紙上に転写した後、このトナー画像を定着部で定着させる構成となっている。
露光部は、回転するポリゴンミラーを介して、感光ドラムにレーザ光を照射し、感光ドラム上に静電荷の潜像を形成するように構成されている。ポリゴンミラーの回転数は、画像の解像度などによって切り換えられ、モノクロ画像形成時の回転数は、通常、カラー画像形成時の回転数よりも速く設定されている。
【０００４】
現像部は、感光ドラムに形成された潜像にトナーを付着させ、このトナーが用紙上に転写される。トナーは、色によって特性や使用量が異なり、それに伴って定着部における定着ローラの温度も変更される。通常、カラー画像形成時の定着温度は、カラートナーの定着性や発色性を向上させるために、モノクロ画像形成時の定着温度よりも高く設定されている。
【０００５】
ところで、近年においては、上記のような画像形成装置を、ＬＡＮなどのネットワークに接続し、複数のホストで共有するという利用形態が増えている。そのため、画像形成装置は、複数のホストから送出されるジョブを処理するために、ジョブを蓄積するバッファを備えており、ここに蓄積したジョブを順次実行するように構成されている。
しかしながら、上記のように、カラー画像形成機能とモノクロ画像形成機能との切り換えに際し、画像形成部の状態を大きく変更する画像形成装置では、機能を切り換えるたびに待ち時間が発生し、処理効率が低下するという問題がある。
【０００６】
そこで、電源投入時などのウォームアップ中において、露光部、現像部及び定着部を監視し、これらの状態と、処理すべきジョブの内容にもとづいて、ジョブの処理順位を決定するものが提案されている（例えば、特許文献１参照。）。
このような画像形成装置によれば、カラー画像形成機能とモノクロ画像形成機能との切り換えによる待ち時間を減らし、ジョブを効率良く処理することが可能になる。
【０００７】
【特許文献１】
特開２０００−１５８７２１号公報（第８頁、第５図）
【０００８】
【発明が解決しようとする課題】
ところが、上記従来の画像形成装置は、カラー画像形成機能に異常が発生したとき、異常表示を行いながら、カラー画像形成機能の回復を待つように構成されていたため、複数の画像形成装置に接続されていないホストは、カラー画像形成機能が回復するまで、画像形成が困難になるという問題があった。
【０００９】
例えば、事務所に一台しかないカラープリンタを用いて、急いでカラー印刷を行おうとしたとき、カラー画像形成機能に異常が発生したと想定する。このような場合は、上記のようにカラー印刷が困難になるため、やむを得ずモノクロで印刷を行うことになるが、モノクロで印刷するには、既に出力してあるジョブを取り消すとともに、カラープリンタをモノクロ画像形成機能に切り換え、その後、ジョブを再び送出するという手間がかかっていた。
また、モノクロ画像形成機能への切り換えに時間がかかるカラープリンタでは、ジョブを送出しても、切り換えが完了するまでジョブが実行されず、印刷に時間がかかるという問題もあった。
【００１０】
本発明は、上記の事情にかんがみなされたものであり、カラー画像形成機能とモノクロ画像形成機能との切り換えにおいて、画像形成部の状態を大きく変更するものであっても、カラー画像形成機能に異常が発生した際、モノクロ画像形成機能による代替処理を迅速かつ容易に実行することができる画像形成装置の提供を目的とする。
【００１１】
【課題を解決するための手段】
上記目的を達成するため本発明の画像形成装置は、カラー画像形成機能及びモノクロ画像形成機能を備える画像形成装置であって、カラー画像形成機能に異常が発生したとき、モノクロ画像形成機能への切り換えを自動的に行う構成としてある。
画像形成装置をこのように構成すれば、カラー画像形成機能に異常が発生したとき、ユーザがモノクロ画像形成機能への切り換え操作を行うことなく、モノクロ画像形成機能による代替処理を実行することが可能になる。
これにより、モノクロ画像形成機能による代替処理が容易になるだけでなく、迅速な画像形成処理を可能にし、カラー画像形成機能の異常による生産性の低下を補うことができる。
【００１２】
また、本発明の画像形成装置は、カラー画像形成機能における異常がコールドスタートの際のチェック段階で発生したときに、モノクロ画像形成機能への切り換えを自動的に行う構成としてある。
画像形成装置をこのように構成すれば、コールドスタート（画像形成装置の電源の初期投入）の際のチェック段階でカラー画像形成機能に異常が発生したときにおいても、ユーザがモノクロ画像形成機能への切り換え操作を行うことなく、画像形成装置自身がモノクロ画像形成機能による代替処理を自動的に実行することができる。
【００１３】
したがって、モノクロ画像形成機能による代替処理を容易かつ迅速に実行できるとともに、カラー画像形成機能の異常発生による生産性の低下を防止できる。そして、コールドスタートの際のチェック段階でカラー画像形成機能の異常が発生した場合でも、一度ホストから送出されたカラー印刷ジョブなどのデータの送出し直しや全部取り消し等を行うことなく、そのカラー印刷ジョブによる出力を実行できる。
【００１４】
また、本発明の画像形成装置は、モノクロ画像形成機能への切り換えを自動的に行うとき、カラー画像形成機能の異常及び／又はモノクロ画像形成機能への切り換えを報知する構成としてある。
画像形成装置をこのように構成すれば、ユーザは、カラー画像形成機能の異常を認識しながら、モノクロ画像形成機能による代替処理を実行することが可能になる。
【００１５】
また、本発明の画像形成装置は、カラー画像形成機能に異常が発生したとき、モノクロ画像形成機能への切り換えを自動的に行うモードと、モノクロ画像形成機能への自動的な切り換えを禁止するモードとを備える構成としてある。
画像形成装置をこのように構成すれば、ユーザは、モノクロ画像形成機能による代替処理を望まないとき、モノクロ画像形成機能への自動的な切り換えを禁止することができる。
【００１６】
また、本発明の画像形成装置は、カラー画像形成機能に異常が発生したとき、カラー画像形成ジョブを自動的にモノクロ画像形成ジョブに変換する構成としてある。
画像形成装置をこのように構成すれば、カラー画像形成機能に異常が発生したとき、モノクロ画像形成機能への切り換えが自動的に行われるだけでなく、カラー画像形成ジョブをモノクロ画像形成ジョブとして自動的に処理することができる。
【００１７】
また、本発明の画像形成装置は、カラー画像形成ジョブを自動的にモノクロ画像形成ジョブに変換するとき、カラー画像形成機能の異常及び／又はモノクロ画像形成ジョブへの変換を報知する構成としてある。
画像形成装置をこのように構成すれば、ユーザは、カラー画像形成機能の異常を認識しながら、モノクロ画像形成機能による代替処理を実行することが可能になる。
【００１８】
また、本発明の画像形成装置は、カラー画像形成機能に異常が発生したとき、カラー画像形成ジョブを自動的にモノクロ画像形成ジョブに変換するモードと、モノクロ画像形成ジョブへの自動的な変換を禁止するモードとを備える構成としてある。
画像形成装置をこのように構成すれば、ユーザは、モノクロ画像形成機能による代替処理を望まないとき、モノクロ画像形成ジョブへの自動的な変換を禁止することができる。
【００１９】
【発明の実施の形態】
以下、本発明の実施形態について、図面を参照して説明する。
［第一実施形態］
まず、本発明の第一実施形態について、図１〜図４を参照して説明する。
図１は、画像形成装置の構成を示すブロック図である。
この図に示される画像形成装置は、レーザビーム方式のカラープリンタであって、インタフェース部１０、操作部２０、表示部３０、用紙供給部（用紙供給装置）４０、画像形成部５０、状態監視部６０、コントローラ部７０などを備えて構成されている。
【００２０】
インタフェース部１０は、ホストとの間でジョブ（プリントデータ）などの送受を行う部分であり、パラレルインタフェース、シリアルインタフェース、ネットワークインタフェースなどを備えている。
操作部２０は、画像形成装置の各種操作を行う部分であり、複数のスイッチによって、オンライン／オフライン切り換え操作、カラー機能／モノクロ機能切り換え操作、モード切り換え操作、エラー解除操作、ジョブリセット操作などを行うことができる。
【００２１】
表示部３０は、液晶パネルを用いて構成されており、ウォームアップ表示、オンライン表示、印刷中表示、機能表示、モード表示、警報表示などを行う。警報表示には、トナー残量、用紙残量などを報知するワーニング表示（警告）と、トナー切れ、用紙切れ、用紙詰りなどを報知するエラー表示（軽度のトラブル）と、故障を報知するサービスマンコール表示（重大なトラブル）とが含まれる。
【００２２】
図２は、画像形成装置の内部を示す側面図である。
この図に示すように、用紙供給部４０は、用紙カセット４１と、ピックアップローラ４２と、複数の送りローラ４３とを備えて構成されている。
用紙カセット４１は、画像形成装置に対して着脱自在であり、積層状態の用紙Ｐを収容する。用紙カセット４１を画像形成装置にセットすると、リフトテーブル４１ａによって用紙Ｐが持ち上げられ、最上層の用紙Ｐがピックアップローラ４２に押し当てられる。
ピックアップローラ４２は、用紙カセット４１内の用紙Ｐを１枚ずつ分離しながら繰り出すものであり、ピックアップローラ４２によって繰り出された用紙Ｐは、送りローラ４３に引き継がれ、画像形成部５０へ供給される。
【００２３】
画像形成部５０は、転写搬送ベルト５１と、色別画像形成部５２Ｃ、５２Ｍ、５２Ｙ、５２Ｂと、定着部５３とを備えて構成されている。つまり、画像形成部５０は、転写搬送ベルト５１によって搬送される用紙Ｐに、色別画像形成部５２Ｃ、５２Ｍ、５２Ｙ、５２Ｂが形成した各色のトナー画像を転写し、このトナー画像を定着部５３で定着させた後、用紙Ｐを排紙口から排出するという一連の画像形成処理を行う。
【００２４】
各色別画像形成部５２Ｃ、５２Ｍ、５２Ｙ、５２Ｂは、画像形成に用いるトナーが相違するものの、基本的な構成はほぼ同じであり、通常、カラー画像形成時には、全ての色別画像形成部５２Ｃ、５２Ｍ、５２Ｙ、５２Ｂが使用され、モノクロ画像形成時には、黒色画像を形成する色別画像形成部５２Ｂのみが使用される。
各色別画像形成部５２Ｃ、５２Ｍ、５２Ｙ、５２Ｂには、感光ドラム５２ａが設けられており、更に、感光ドラム５２ａの外周面対向位置には、その回転方向に並ぶように、帯電部５２ｂ、露光部５２ｃ、現像部５２ｄ、転写部５２ｅ及びクリーニング部５２ｆが配置されている。
【００２５】
露光部５２ｃは、帯電部５２ｂによって帯電された感光ドラム５２ａに、レーザ光によって静電潜像を形成する部分である。露光部５２ｃ内には、レーザ光を反射させるポリゴンミラー（図示せず）が設けられ、このポリゴンミラーを回転させることにより、レーザ光が感光ドラム５２ａ上に走査される。
ポリゴンミラーの回転数は、形成する画像の条件や処理速度に応じて制御される。例えば、モノクロ画像形成時の回転数は、カラー画像形成時の回転数よりも速くなるように設定されている（図３（ａ）参照）。
【００２６】
現像部５２ｄは、感光ドラム５２ａに形成された静電潜像にトナーを付着させる部分であり、通常は、画像形成装置に対して着脱自在なカートリッジとして形成される。このカートリッジ内には、トナーと、このトナーを感光ドラム５２ａに供給する現像ローラ（図示せず）とが含まれている。
転写部５２ｅは、転写搬送ベルト５１の裏面側に配置され、感光ドラム５２ａに形成されたトナー画像を、放電により用紙Ｐに転写させる転写ローラを備えて構成されている。
クリーニング部５２ｆは、感光ドラム５２ａに残ったトナーを除去する部分である。
【００２７】
定着部５３は、用紙経路を挟んで対向する一対の定着ローラ５３ａを備えて構成されている。定着ローラ５３ａには、加熱用のコイルなどが内蔵されており、加熱された定着ローラ５３ａ間を用紙Ｐが通ることにより、用紙Ｐ上のトナー画像が定着される。
トナーは、色によって特性や使用量が異なり、それに応じて定着ローラ５３ａの温度も変更される。例えば、カラー画像形成時の定着温度は、カラートナーの定着性や発色性を向上させるために、モノクロ画像形成時の定着温度よりも高く設定されている（図３（ｂ）参照）。
【００２８】
状態監視部６０は、各種のセンサを備えて構成されている。状態監視部６０には、少なくとも、露光状態監視系と、現像状態監視系と、定着状態監視系とが含まれており、各監視系の状態検出信号がコントローラ部７０に入力される。
露光状態監視系は、露光部５２ｃの状態を監視するものであり、例えば、ポリゴンミラーの回転数などを監視している。ポリゴンミラーの回転数にムラがある場合は、コントローラ部７０において異常と判断される。
【００２９】
現像状態監視系は、現像部５２ｄの状態を監視するものであり、例えば、形成画像の濃度、トナーの固化などを監視している。形成画像の濃度が不足している場合や、トナーの固化が発生した場合は、コントローラ部７０において異常と判断される。
定着状態監視系は、定着部５３の状態を監視するものであり、例えば、定着ローラ５３ａの温度などを監視している。定着ローラ５３ａの温度が所定の温度まで上らない場合は、コントローラ部７０において異常と判断される。
【００３０】
コントローラ部７０は、インタフェース部１０を介して、ホストからジョブを受信し、このジョブに基づいて、表示部３０、用紙供給部４０、画像形成部５０などを動作させる部分である。
コントローラ部７０には、複数のホストから送出されるジョブを処理するために、ジョブを蓄積するバッファ（メモリ、ハードディスクなど）を備えており、ここに蓄積したジョブを順次実行するように構成されている。
【００３１】
ジョブには、カラー印刷を要求するカラー画像形成ジョブと、モノクロ印刷を要求するモノクロ画像形成ジョブとがあり、コントローラ部７０は、ジョブに応じて、カラー画像形成機能とモノクロ画像形成機能との切り換えを行う。カラー画像形成機能とモノクロ画像形成機能とを切り換える場合は、前述したように、ポリゴンミラー回転数、定着ローラ温度などが変更され、それに伴う待ち時間が発生する（図３参照）。
【００３２】
つぎに、コントローラ部７０による画像形成装置の制御手順について、図４を参照して説明する。
図４は、第一実施形態における画像形成装置の制御手順を示すフローチャートである。
この図に示すように、画像形成装置の電源が投入されると（コールドスタート、Ｓ１０１）、まず、画像形成機能の異常チェックを行う（コールドスタートの際のチェック段階、Ｓ１０２）。つぎに、異常チェックの結果を参照し（Ｓ１０３）、異常がない場合は、通常のジョブ処理を実行する（Ｓ１０４）。このジョブ処理は、受信したジョブに応じて、カラー画像形成機能とモノクロ画像形成機能との切り換えを行い、ジョブにもとづいた画像形成を行うという通常のプリント処理である。
【００３３】
一方、異常が発生した場合は、自動回復プログラムを実行し（Ｓ１０５）、その後、回復の有無を判断する（Ｓ１０６）。ここで、カラー画像形成機能及びモノクロ画像形成機能が回復したときは、通常のジョブ処理を実行し（Ｓ１０４）、両機能が回復しないときは、所定の異常処理を実行する（Ｓ１０７）。この異常処理は、表示部３０でエラー表示を行いながら、機能が回復するまで待機するという通常の異常処理である。
【００３４】
また、カラー画像形成機能だけに異常が発生しているときは、表示部３０において、カラー画像形成機能の異常表示と、モノクロ画像形成機能への自動切り換え表示（報知）を行いながら（Ｓ１０８）、モノクロ画像形成機能に対応したウォームアップを実行する（Ｓ１０９）。
つまり、カラー画像形成機能に異常が発生したとき、モノクロ画像形成機能への切り換えを自動的に行うので、ユーザは、モノクロ画像形成機能への切り換え操作を行うことなく、モノクロ画像形成機能による代替処理を速やかに実行することが可能になる。
【００３５】
また、この状態では、ジョブの有無を判断し（Ｓ１１０）、モノクロ画像形成ジョブがあるときは、モノクロ画像形成機能によるモノクロ印刷を実行する（Ｓ１１１）。一方、カラー画像形成ジョブがあるときは、表示部３０において、カラー画像形成機能の異常表示と、モノクロ画像形成ジョブへの自動変換表示（報知）を行いながら（Ｓ１１２）、カラー画像形成ジョブをモノクロ画像形成ジョブへ自動的に変換し、カラー画像形成ジョブをモノクロ画像形成ジョブとして印刷する（Ｓ１１３）。
これにより、カラー画像形成機能に異常が発生したとき、モノクロ画像形成機能への切り換えが自動的に行われるだけでなく、カラー画像形成ジョブをモノクロ画像形成ジョブとして自動的に処理することが可能になる。
【００３６】
以上のように、本実施形態の画像形成装置によれば、カラー画像形成機能に異常が発生したとき、モノクロ画像形成機能への切り換えを自動的に行うため、ユーザは、モノクロ画像形成機能への切り換え操作を行うことなく、モノクロ画像形成機能による代替処理を実行することが可能になる。これにより、モノクロ画像形成機能による代替処理が容易になるだけでなく、迅速な画像形成処理を可能にし、カラー画像形成機能の異常による生産性の低下を補うことができる。
【００３７】
また、画像形成装置は、モノクロ画像形成機能への切り換えを自動的に行うとき、カラー画像形成機能の異常表示や、モノクロ画像形成機能への切り換え表示を行うため、ユーザは、カラー画像形成機能の異常を認識しながら、モノクロ画像形成機能による代替処理を実行することができる。
【００３８】
また、画像形成装置は、カラー画像形成機能に異常が発生したとき、カラー画像形成ジョブを自動的にモノクロ画像形成ジョブに変換するため、ユーザは、カラー画像形成ジョブの取消しや、モノクロ画像形成ジョブの送出をすることなく、モノクロ画像形成機能による代替処理を実行することが可能になる。
【００３９】
また、画像形成装置は、カラー画像形成ジョブを自動的にモノクロ画像形成ジョブに変換するとき、カラー画像形成機能の異常表示や、モノクロ画像形成ジョブへの変換表示を行うため、ユーザは、カラー画像形成機能の異常を認識したうえで、モノクロ画像形成機能による代替処理を実行することができる。
【００４０】
［第二実施形態］
つぎに、本発明の第二実施形態について、図５を参照して説明する。
図５は、第二実施形態における画像形成装置の制御手順を示すフローチャートである。
この図に示すように、第二実施形態は、カラー画像形成機能に異常が発生したとき、モノクロ画像形成機能への切り換えを自動的に行うモードと、モノクロ画像形成機能への自動的な切り換えを禁止するモードとを備える点や、カラー画像形成機能に異常が発生したとき、カラー画像形成ジョブを自動的にモノクロ画像形成ジョブに変換するモードと、モノクロ画像形成ジョブへの自動的な変換を禁止するモードとを備える点が第一実施形態と相違している。
なお、これらのモード設定は、画像形成装置やホストにおいて、あらかじめ行われるものとする。
【００４１】
第二実施形態では、画像形成装置の電源が投入されると（コールドスタート、Ｓ２０１）、まず、画像形成機能の異常チェックを行う（コールドスタートの際のチェック段階、Ｓ２０２）。つぎに、異常チェックの結果を参照し（Ｓ２０３）、異常がない場合は、通常のジョブ処理を実行する（Ｓ２０４）。
一方、異常が発生した場合は、自動回復プログラムを実行し（Ｓ２０５）、その後、回復の有無を判断する（Ｓ２０６）。ここで、カラー画像形成機能及びモノクロ画像形成機能が回復したときは、通常のジョブ処理を実行し（Ｓ２０４）、両機能が回復しないときは、所定の異常処理を実行する（Ｓ２０７）。
以上の制御手順は、第一実施形態と同様である。
【００４２】
第二実施形態では、カラー画像形成機能だけに異常が発生したとき、自動切り換えモードの設定を参照する（Ｓ２０８）。ここで、自動切り換えが許可されている場合は、第一実施形態と同様に、表示部３０において、カラー画像形成機能の異常表示と、モノクロ画像形成機能への自動切り換え表示を行いながら（Ｓ２０９）、モノクロ画像形成機能に対応したウォームアップを実行するが（Ｓ２１０）、自動切り換えが禁止されている場合は、モノクロ画像形成機能への自動切り換えを行わず、通常の異常処理を実行する（Ｓ２０７）。
これにより、ユーザは、モノクロ画像形成機能による代替処理を望まないとき、モノクロ画像形成機能への自動的な切り換えを禁止することが可能になる。
【００４３】
モノクロ画像形成機能への自動切り換えを行った場合は、第一実施形態と同様に、ジョブの有無を判断し（Ｓ２１１）、モノクロ画像形成ジョブがあるときは、モノクロ画像形成機能によるモノクロ印刷を実行する（Ｓ２１２）。一方、カラー画像形成ジョブがあるときは、自動変換モードの設定を参照する（Ｓ２１３）。ここで、自動変換が許可されている場合は、第一実施形態と同様に、表示部３０において、カラー画像形成機能の異常表示と、モノクロ画像形成ジョブへの自動変換表示を行いながら（Ｓ２１４）、カラー画像形成ジョブをモノクロ画像形成ジョブへ自動的に変換し、カラー画像形成ジョブをモノクロ画像形成ジョブとして印刷するが（Ｓ２１５）、自動変換が禁止されている場合は、モノクロ画像形成ジョブへの自動変換を行わず、通常の異常処理を実行する（Ｓ２０７）。これにより、ユーザは、モノクロ画像形成機能による代替処理を望まないとき、モノクロ画像形成ジョブへの自動的な変換を禁止することが可能になる。
【００４４】
以上のように、第二実施形態の画像形成装置によれば、カラー画像形成機能に異常が発生したとき、モノクロ画像形成機能への切り換えを自動的に行うモードと、モノクロ画像形成機能への自動的な切り換えを禁止するモードとを備えるため、ユーザは、モノクロ画像形成機能による代替処理を望まないとき、モノクロ画像形成機能への自動的な切り換えを禁止することができる。
【００４５】
更に、第二実施形態の画像形成装置は、カラー画像形成機能に異常が発生したとき、カラー画像形成ジョブを自動的にモノクロ画像形成ジョブに変換するモードと、モノクロ画像形成ジョブへの自動的な変換を禁止するモードとを備えるため、ユーザは、モノクロ画像形成機能による代替処理を望まないとき、モノクロ画像形成ジョブへの自動的な変換を禁止することができる。
【００４６】
【発明の効果】
以上のように、本発明によれば、カラー画像形成機能に異常が発生したとき、モノクロ画像形成機能への切り換えが自動的に行われるので、カラー画像形成機能とモノクロ画像形成機能との切り換えに際し、画像形成部の状態を大きく変更する画像形成装置であっても、カラー画像形成機能に異常が発生したとき、モノクロ画像形成機能による代替処理を迅速かつ容易に実行することができる。
【図面の簡単な説明】
【図１】画像形成装置の構成を示すブロック図である。
【図２】画像形成装置の内部を示す側面図である。
【図３】ポリゴンミラー回転数及び定着ローラ温度を示す説明図である。
【図４】第一実施形態における画像形成装置の制御手順を示すフローチャートである。
【図５】第二実施形態における画像形成装置の制御手順を示すフローチャートである。
【符号の説明】
３０  表示部
４０  用紙供給部
５０  画像形成部
５１  転写搬送ベルト
５２  色別画像形成部（Ｃ、Ｍ、Ｙ、Ｂ）
５２ａ  感光ドラム
５２ｂ  帯電部
５２ｃ  露光部
５２ｄ  現像部
５２ｅ  転写部
５２ｆ  クリーニング部
５３  定着部
５３ａ  定着ローラ
６０  状態監視部
７０  コントローラ部
【図１】
2004271715.tif 000003
【図２】
2004271715.tif 000004
【図３】
2004271715.tif 000005
【図４】
2004271715.tif 000006
【図５】
2004271715.tif 000007